(57)【要約】【課題】表示装置において、表示パネルの近傍にスピーカボックスを容易に取り付け可能とし、また取り外す必要が生じた場合の作業性を高め、しかもパネルが振動することを抑止可能なスピーカ取り付け構造を提供することである。【解決手段】この発明の表示装置１は、カバー３１に設けられた長穴３１ａにより、ボス７ａ（スピーカボックス７）が、図示しない長手方向の軸線に沿って回転することを抑止可能に、かつ、カバー３１と接触することを防止して、スピーカボックス７をねじや止め輪等を用いることなく、カバー３１の所定の位置に固定できる。【選択図】  図３
2006109375.tif 000002
【特許請求の範囲】
【請求項１】
非円形の穴と、この非円形の穴に対して所定の位置に設けられたシャフトを有し、情報を表示する表示面を有する表示パネルを支持するカバーと、
前記カバーの前記非円形の穴に挿入される非円柱状のボスと、前記カバーの前記シャフトの近傍に位置される切り欠き部を有し、前記ボスの軸方向に伸びた平面部を有する嵌め合い部と、を所定の位置関係で保持し、スピーカを収容したスピーカボックスと、
前記スピーカボックスの前記ボスと前記カバーの前記非円形の穴とが直接接することを抑止する弾性体と、
前記カバーの前記シャフトに、前記スピーカボックスの前記嵌め合い部を固定する第２の弾性体と、
を有すること特徴とする表示装置。
【請求項２】
前記第２の弾性体は、前記カバーの前記シャフトに圧入状態で装着されることを特徴とする請求項１記載の表示装置。
【請求項３】
前記第２の弾性体は、前記カバーの前記シャフトの外径より狭い内径が与えられた円筒状のゴム部材であることを特徴とする請求項２記載の表示装置。
【請求項４】
前記スピーカボックスと接することのある構造物と前記スピーカボックスとの間の所定の位置に設けられ、前記スピーカボックスに起因する振動成分が伝搬されること抑止可能な第３の弾性体をさらに有することを特徴とする請求項１ないし３のいずれかに記載の表示装置。
【請求項５】
前記第３の弾性体は、前記第２の弾性体が前記シャフトから抜けることを阻止することを特徴とする請求項４記載の表示装置。
【請求項６】
長手方向に伸びる軸線と直交する第１の平面に設けられた非円形の穴と、前記第１の平面と平行に形成された第２の平面に、前記軸方向に伸びた平面部が設けられた嵌め合い部と、を有し、スピーカを収容したスピーカボックスと、
前記軸線と直交する面の断面形状が非円形で前記軸線に沿って形成され、前記スピーカボックスの前記非円形の穴に挿入されるボス部と、このボス部に対して所定の位置に設けられ、前記スピーカボックスの前記嵌め合い部が固定されるシャフトを有し、情報を表示する表示面を有する表示パネルを支持するカバーと、
前記スピーカボックスの前記非円形の穴と前記カバーの前記ボス部とが直接接することを抑止する弾性体と、
前記カバーの前記シャフトに、前記スピーカボックスの前記嵌め合い部を固定する第２の弾性体と、
を有すること特徴とする表示装置。
【請求項７】
前記第２の弾性体は、前記カバーの前記シャフトに圧入状態で装着されることを特徴とする請求項６記載の表示装置。
【請求項８】
前記第２の弾性体は、前記カバーの前記シャフトの外径より狭い内径が与えられた円筒状のゴム部材であることを特徴とする請求項７記載の表示装置。
【請求項９】
前記スピーカボックスと接することのある構造物と前記スピーカボックスとの間の所定の位置に設けられ、前記スピーカボックスに起因する振動成分が伝搬されること抑止可能な第３の弾性体をさらに有することを特徴とする請求項６ないし８のいずれかに記載の表示装置。
【発明の詳細な説明】
【技術分野】
【０００１】
この発明は、表示装置に係わり、特に入力信号に対応する画像や文字列を表示する平面型の表示装置に関する。
【背景技術】
【０００２】
外部から信号を受信し、または記録媒体により供給される画像情報や文字列を表示する表示装置においては、表示装置の軽量化や設置スペースの低減の要求から、ＬＣＤ（液晶表示装置）を用いるものが普及している。
【０００３】
この種の表示装置においては、前面カバーのデザイン（意匠）の多様化ならびに外観上の特徴として、ねじ類の使用数を極力抑えた構造が好まれている。
【０００４】
また、前面カバーの所定の位置に、スピーカ（スピーカボックス）を埋め込む方法が広く利用されている。
【０００５】
例えば、複数のボスが形成されているパネルと複数のラグを備えたスピーカボックスを取り付ける方法として、パネルのボスに起立して設けられ、先端部に、拡大／縮小／変形可能な段部が形成されている複数の係合用突起と、スピーカボックスの各ラグに保持された筒状の複数の弾性部材（ゴム）とを用い、スピーカボックスは、各弾性部材がボスと段差部との間に挟まれるようにして、個々の係合用突起に外側から嵌め込まれることによりパネルに固定される構造が開示されている（例えば、特許文献１参照）。
【特許文献１】特開２００３−１０８０８１号公報
【発明の開示】
【発明が解決しようとする課題】
【０００６】
特許文献１に記載のスピーカボックスの取り付け構造においては、スピーカボックスの姿勢は、ラグと弾性部材との接触面で保持されるため、２点止めとなり、非常に不安定である。また、ラグの位置精度や弾性部材であるゴムの硬さのばらつきによる影響もあり、スピーカボックスの周辺に、スピーカボックスがパネルに接した場合にパネルが振動することを抑止するための、スピーカボックスの位置が変動したとしてもスピーカボックスとパネルとが接することを不可能とする隙間が必要となる。このことは、パネルの大きさを増大することに他ならない。なお、文献１に記載されたスピーカボックスの取り付け構造においては、スピーカボックスを取り外す必要が生じた場合、その作業性は高くない。
【０００７】
また、ラバーブッシュ（ゴム）等を用いてスピーカボックスをパネルに固定する多くの取り付け方法においては、例えばラバーブッシュの形状や硬さに適合した段付きのある、あるいはフランジが一体に形成された、特別な形状のねじを用いなければならない。もしくは、ねじ止めの際の締め付けトルクの管理（およびそのための工具）等が必要となる。このことは、表示装置のコストを増大させることに他ならない。なお、この方法によっても、スピーカボックスが位置が変動した場合であってもスピーカボックスとパネルとが接することを不可能とする隙間や、スピーカボックスの位置が変動することを抑止するための構造、例えば回り止めは必要であり、表示装置の大きさが増大する問題がある。
【０００８】
この発明の目的は、表示装置において、ねじ等を用いることなく、表示パネルの近傍にスピーカボックスを容易に取り付け可能とし、また取り外す必要が生じた場合の作業性を高め、しかもパネルが振動することを抑止可能なスピーカ取り付け構造を提供することである。
【課題を解決するための手段】
【０００９】
この発明は、非円形の穴と、この非円形の穴に対して所定の位置に設けられたシャフトを有し、情報を表示する表示面を有する表示パネルを支持するカバーと、前記カバーの前記非円形の穴に挿入される非円柱状のボスと、前記カバーの前記シャフトの近傍に位置される切り欠き部を有し、前記ボスの軸方向に伸びた平面部を有する嵌め合い部と、を所定の位置関係で保持し、スピーカを収容したスピーカボックスと、前記スピーカボックスの前記ボスと前記カバーの前記非円形の穴とが直接接することを抑止する弾性体と、前記カバーの前記シャフトに、前記スピーカボックスの前記嵌め合い部を固定する第２の弾性体と、を有すること特徴とする表示装置、を提供するものである。
【発明の効果】
【００１０】
本発明によれば、表示装置において、表示パネルが装着されるディスプレイのカバー部に、振動源となることのあるスピーカボックスを固定する際に、その振動がカバーに伝搬されることのないよう、固定できる。また、スピーカボックスが固定される対象物も、特に制限を受けることがない。しかも、部品点数が削減可能で、結果的にコストが低減可能である。
【発明を実施するための最良の形態】
【００１１】
以下、図面を参照して、この発明の実施の形態について詳細に説明する。
【００１２】
図１は、この発明が適用される画像表示装置の一例を示す。
【００１３】
図１に示す画像表示装置１は、例えばＬＣＤ（液晶表示装置）を表示パネル１１として収容したディスプレイ本体３およびディスプレイ本体３と一体に、あるいはディスプレイ本体３が装着可能に形成された記録再生ユニット５を有する。なお、ディスプレイ本体３の所定の位置、例えば表示パネル１１の両側であって、記録再生ユニット５の上部に位置する位置には、スピーカを収容したスピーカボックス７から発生される再生音を出力するための、メッシュ状あるいは複数の穴が開けられた音声出力部３ａが設けられている。
【００１４】
記録再生ユニット５は、情報の記録と、その記録済み情報の再生が可能で、例えばＤＶＤ規格の光ディスクに情報を記録し、あるいは既に情報が記録されている光ディスクから情報を再生するディスクドライブユニット５ａ、記録再生ユニット５の動作状態や時刻等が表示可能な動作表示部５ｂおよび図示しないリモートコントローラからの制御信号を受け付け、例えば主電源のオン／オフや予約録画モード、あるいは編集モード等の設定に利用されるリモコン制御部５ｃ等を有する。
【００１５】
ディスプレイ本体３は、図２に示すように背面から見た状態で、例えば表示パネル１１が装着される位置の水平方向の両側、かつ垂直方向の下部に規定される位置に、スピーカを収容したスピーカボックス７を有する（ディスプレイ本体３の所定の位置には、２つのスピーカボックス７が取り付けられている）。なお、ディスプレイ本体３は、スピーカボックス７が取り付けられる側に位置される内部シャーシ３３に、図示しないねじ等により固定される。
【００１６】
スピーカボックス７は、図３に示すように、カバー３１の所定の位置に設けられた長穴３１ａに弾性体３１ｂを介して装着される非円柱状のボス７ａと、ボス７ａと反対の側に位置され、カバー３１から突出されたシャフト３１ｃに弾性体３１ｄを介して装着される嵌め合い部７ｂと、スピーカボックス７の移動量を制限するリブ７ｃを有する。
【００１７】
ボス７ａは、スピーカボックス７のハウジングと一体に形成され、スピーカボックス７に、図示しない長手方向の軸の回りに旋回するような力がかかった際に、回り止めとして機能する。なお、ボス７ａは、中空に形成されてもよい。また、長手方向の軸と直交する断面における投影形状が非円柱状であれば、多角形や長方形であってもよく、また互いに平行な２直線であってもよい。
【００１８】
嵌め合い部７ｂは、図示しない長手方向の軸と平行な平面領域を含み、例えばその一部がカバー３１に設けられたシャフト３１ｃの外周よりも大きな曲率の欠き取り状（図では［Ｕ］字型）である。嵌め合い部７ｂは、スピーカボックス７のハウジングと一体に形成される。
【００１９】
リブ７ｃは、例えば嵌め合い部７ｂが伸びる方向と平行に、スピーカボックス７のハウジングと一体に形成され、ボス７ａがカバー３１の長穴３１ａに挿入される際の挿入量を制限する。従って、以下に説明するが、シャフト３１ｃと嵌め合い部７ｂとの嵌め合い時に、嵌め合い部７ｂからがゆるんだり、不所望に
カバー３１の長穴３１ａに設けられる弾性体３１ｂは、スピーカボックス７のボス７ａを通じて、スピーカボックス７から出力される音声信号に起因する振動が、カバー３１に伝搬されることを抑止する。弾性体３１ｂは、例えばウレタンや発泡ゴム等がシート状に形成されたもので、スピーカボックス７のボス７ａが挿入されることで、変形／圧縮可能で、ボス７ａが長穴３１ａと直接接することを阻止する。なお、弾性体３１ｂは、ボス７ａの形状と長穴３１ａの形状の違いを吸収可能であれば、その形状は特に制限を受けず、例えば複数領域に分割されてもよい。
【００２０】
シャフト３１ｃは、例えば円柱状の金属がカバー３１にモールドされたもので、カバー３１と一体化されて、所定の強度を提供する。なお、シャフト３１ｃは、その太さや形状および高さ（長さ）が最適に設定されることで、カバー３１と一体に（樹脂により）形成されてもよい。また、シャフト３１ｃが金属性である場合、カバー３１に、例えばインサートによって、同時成型されてもよい。
【００２１】
弾性体３１ｄは、例えば円柱状のゴムに、少なくともシャフト３１ｃが圧入状態で挿入可能に規定された内径の穴が開けられた形状を有し、シャフト３１ｃに装着されることでシャフト３１ｃの所定の位置に固定される。すなわち、弾性体３１ｄは、シャフト３１ｃに、圧入状態で挿入される。なお、弾性体３１ｄの外周面の所定の位置には、スピーカボックス７の嵌め合い部７ｂの欠き取り部が嵌め込まれる際の案内溝を兼ねるとともに、嵌め合い部７ｂが不所望に弾性体３１ｄから外れることを防止するための同心円状で、内径の軸と直交する方向に規定された溝が形成されている。すなわち、弾性体３１ｄは、シャフト３１ｃの外径より狭い内径が与えられた、例えば円筒状のゴム部材である。
【００２２】
なお、必要に応じて、例えばスピーカボックス７が固定された状態でスピーカボックス７に接する虞れのある構造物、例えば図２に示した内部シャーシ３３等が近傍に設けられている場合、スピーカボックス７の所定の位置（３３ａ）と対向する位置に、スピーカボックス７により生成される振動成分がその構造物に伝搬されることを防止する弾性体３１ｅが設けられてもよい。弾性体３１ｅは、好ましくはシート状あるいは半球状に形成されたウレタンや発泡ゴム等である。もちろん、弾性体３１ｅは、図示しない構造物側に設けられてもよい。この弾性体３１ｅは、弾性体３１ｄが不所望にシャフト３１ｃから抜けることを阻止する機能を分担する。
【００２３】
図４は、図２および図３に示したカバーにスピーカボックスを取り付ける方法の一例を説明する概略図である。
【００２４】
カバー３１の長穴３１ａに、弾性体３１ｂを取り付け、スピーカボックス７のボス７ａを、弾性体３１ｂとともに長穴３１ａに挿入する。
【００２５】
続いて、スピーカボックス７の嵌め合い部７ｂの欠き取り部に弾性体（円筒状のゴム）３１ｄを装着し、ボス７ａが長穴３１ａに挿入される長さを調整しながら、弾性体３１ｄをシャフト３１ｃに挿入する。
【００２６】
このとき、スピーカボックス７のリブ７ｃにより、シャフト３１ｃと嵌め合い部７ｂとの嵌め合い時に、シャフト３１ｃに挿入された弾性体３１ｄが嵌め合い部７ｂの切り欠き部から外れたり、スピーカボックス７の位置が不所望に移動することが防止される。
【００２７】
このような僅かな工程において、長穴３１ａによりボス７ａ（スピーカボックス７）が図示しない長手方向の軸線に沿って回転することが抑止されるとともに、ねじや止め輪等を用いることなく、スピーカボックス７を、カバー３１と接触することなく、カバー３１の所定の位置に固定できる。
【００２８】
また、図示しないが、カバー３１に設けられるシャフト３１ｃに、弾性体（ゴム）３１ｄの挿入時の深さを規定するための段付き部が設けられてもよい。なお、シャフト３１ｃがインサートによりカバー３１に固定される場合には、そのインサートの台座部を弾性体３１ｄの位置決めに用いることができる。
【００２９】
なお、スピーカボックス７をカバー３１から取り外す必要が生じた場合には、弾性体３１ｄをシャフト３１ｃから引き抜くことにより、簡単に取り外すことができる。
【００３０】
また、図５に示すように、スピーカボックス１０７に長穴１０７ａを設け、予めカバー１３１に設けたボス１３１ａが、スピーカボックスの長穴に挿入される形状であってもよいことは、いうまでもない。この場合、スピーカボックス１０７の長穴１０７ａの周りに例えばウレタンや発泡ゴム等がシート状に形成された弾性体１０７ｂが用意される。
【００３１】
以上説明したように、本発明によれば、簡単な構造と僅かな工程により、表示パネルが装着されるディスプレイのカバー部に、振動源となることのあるスピーカボックスを固定する際に、その振動がカバーに伝搬されることのないよう、固定できる。また、スピーカボックスが固定される対象物も、特に制限を受けず、例えばカバーと接続される他の構造物（サブシャーシ）等に上述したようなスピーカボックスのボスが挿入可能な長穴を形成することも可能である。
【００３２】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００３３】
【図１】この発明が適用される表示装置の形状の特徴の一例を説明する概略図。
【図２】図１に示した表示装置の前面カバーとスピーカボックスを、表示パネルを外した状態で、その背面から見た状態を示す概略図。
【図３】図２に示したスピーカボックスの取り付け状態を拡大して説明する概略図。
【図４】図２に示したスピーカボックスの取り付け方法の一例を示す概略図。
【図５】図２に示したスピーカボックスの取り付け状態の別の一例を説明する概略図。
【符号の説明】
【００３４】
１…表示装置、３…ディスプレイ本体、３ａ…音声出力部、５…記録再生ユニット、７…スピーカボックス、７ａ…（非円柱）ボス、７ｂ…嵌め合い部、７ｃ…リブ、１１…表示パネル、３１…カバー、３１ａ…長穴、３１ｂ…弾性体、３１ｃ…シャフト、３１ｄ…弾性体（円筒状ゴム）、３１ｅ…弾性体、３３…内部シャーシ、３３ａ…振動伝搬防止部材の対向位置。
【図１】
2006109375.tif 000003
【図２】
2006109375.tif 000004
【図３】
2006109375.tif 000005
【図４】
2006109375.tif 000006
【図５】
2006109375.tif 000007